(57)【特許請求の範囲】
【請求項１】
自画像を撮影し自画像情報を生成する画像撮影手段と、
自機の画像の表示方向を指示する自機画像横転表示信号を発生する画像横転表示信号発生手段と、
相手機の画像横転表示信号を受信する信号受信手段と、
前記自機画像横転表示信号と前記相手機画像横転表示信号に基づき前記自画像情報を作成する画像処理手段と、
前記自画像情報を相手側画像通信装置へ送信する画像情報送信手段を具備し、
前記画像処理手段は、前記自機画像横転表示信号と前記相手機画像横転表示信号より画像を回転させる回転角を算出し、出力する回転角算出手段と、
前記自画像情報を前記回転角に基づき回転処理し、回転画像情報を生成する画像回転手段と、
前記回転画像情報から矩形領域を切りとり、前記送信画像情報を生成する矩形領域抽出手段と、
を有することを特徴とする画像通信装置。
【請求項２】
前記回転角算出手段は、前記画像通信装置の横転方向を正として前記自機画像横転表示信号がＯＦＦかつ前記相手機画像横転表示信号がＯＦＦのとき０度、
前記自機画像横転表示信号がＯＮかつ前記相手機画像横転表示信号がＯＦＦのとき−９０度、
前記自機画像横転表示信号がＯＦＦかつ前記相手機画像横転表示信号がＯＮのとき−９０度、
前記自機画像横転表示信号がＯＦＦかつ前記相手機画像横転表示信号がＯＮのとき１８０度を出力することを特徴とする請求項１記載の画像通信装置。
【請求項３】
前記画像横転表示信号発生手段は、画像横転表示信号のＯＮ、ＯＦＦを発生する切り替えスイッチを備えることを特徴とする請求項１または請求項２記載の画像通信装置。
【請求項４】
前記画像横転表示信号発生手段は、本体の縦横方向を感知し、本体横転時に画像横転表示信号をＯＮにし、それ以外の時にＯＦＦにする本体方向感知手段から構成されることを特徴とする請求項１または請求項２記載の画像通信装置。
【請求項５】
相手側画像通信装置から送信された相手側画像信号と前記相手画像の表示方向を指示する画像横転表示信号を受信する画像情報受信手段と、
前記相手画像情報を前記画像横転表示信号に基づき表示画像情報として生成する表示画像処理手段を具備し、
表示画像処理手段は、前記相手側画像情報を前記画像横転表示信号がＯＮのとき−９０度回転処理し、前記画像横転表示信号がＯＦＦのとき回転処理を行わず出力する画像回転手段と、
前記画像回転手段から出力された回転画像情報から矩形領域を切りとり前記表示画像情報を生成する矩形領域抽出手段
から構成されることを特徴とする請求項１記載の画像通信装置。
【請求項６】
前記画像横転表示信号発生手段は、画像横転表示信号のＯＮ、ＯＦＦを発生する切り替えスイッチを備えることを特徴とする請求項５記載の画像通信装置。
【請求項７】
前記画像横転表示信号発生手段は、本体の縦横方向を感知し、本体横転時に画像横転表示信号をＯＮにし、それ以外の時にＯＦＦにする本体方向感知手段から構成されることを特徴とする請求項５記載の画像通信装置。
【発明の詳細な説明】
【０００１】
【産業上の利用分野】
本発明は画像を通信する画像通信装置に関するものである。
【０００２】
【従来の技術】
従来のテレビ電話等の画像通信装置は画像表示装置を固定し、縦長あるいは横長の画面に画像を表示している。画面の縦横の長さの比が異なる画像を表示する場合、画面の一部を空白にし画像を表示する方法、画像の一部を切りとり表示する方法、画像を縦横方向へ拡大縮小し縦横比を合わせて表示する方法がとられている。また、テレビ電話において自画像と受信画像を同時に表示する方法として特開平２−６７８８８号公報に開示されるように画面を分割して表示する方式が提案されている。図１４にこの従来例の表示方式による表示画面の例を示す。
【０００３】
【発明が解決しようとする課題】
従来の画像通信装置では、あらかじめ定められた、一方向に長い画面しか表示することができない。そのため図１５に示すように縦に長い物体の全体像を撮影し、横に長い画面に表示した場合、図１６に示すように、横方向の余白部分が大きくなり、画面の面積に対して表示する物体の面積が小さくなる。つまり、図１７に示すように縦長の画面に表示する場合に比べ、被写体の像が小さくなる。横に長い物体の全体像を、縦に長い画面に表示する場合も、同様のことがいえる。
【０００４】
携帯型画像通信装置の場合、お互いの本体を逆方向に９０度回転させれば、画面の形を縦長と横長に切り替えて使用可能であるが、独自に画面の形を切り替えることはできない。
【０００５】
また、画面を分割し複数の画像を表示する場合、横長の画面を中央部で横に分割し、もとの横長の画像を縮小して全体が収まるように２つの画像を同時に表示すると図１８に示す斜線部分のように画像が表示されない空白の部分が生じる。
【０００６】
一方、画面を分割した形に合わせて画像を切りとり、２つの画像を同時に表示すると元の画像の１／２の部分が表示できない。以上のように画面を分割して複数の画像を表示する場合、表示画面、あるいは表示画像において無効となる部分が生じる。
【０００７】
そこで本発明は撮影する物体の形状に合わせて、表示画面を自機側で独自に縦長、横長に切り替えて表示し、複数の画像を表示画面を分割ことによって同時に表示する場合に無効となる部分を減少させることを目的とするものである。
【０００８】
【課題を解決するための手段】
請求項１の発明は、自画像を撮影し自画像情報を生成する画像撮影手段と、自機の画像の表示方向を指示する自機画像横転表示信号を発生する画像横転表示信号発生手段と、相手機の画像横転表示信号を受信する信号受信手段と、前記自機画像横転表示信号と前記相手機画像横転表示信号に基づき前記自画像情報を作成する画像処理手段と、前記自画像情報を相手側画像通信装置へ送信する画像情報送信手段を具備し、前記画像処理手段は、前記自機画像横転表示信号と前記相手機画像横転表示信号より画像を回転させる回転角を算出し、出力する回転角算出手段と、前記自画像情報を前記回転角に基づき回転処理し、回転画像情報を生成する画像回転手段と、前記回転画像情報から矩形領域を切りとり、前記送信画像情報を生成する矩形領域抽出手段とを有する画像通信装置である。
【０００９】
請求項２の発明は、前記回転角算出手段は、前記画像通信装置の横転方向を正として前記自機画像横転表示信号がＯＦＦかつ前記相手機画像横転表示信号がＯＦＦのとき０度、前記自機画像横転表示信号がＯＮかつ前記相手機画像横転表示信号がＯＦＦのとき−９０度、前記自機画像横転表示信号がＯＦＦかつ前記相手機画像横転表示信号がＯＮのとき−９０度、前記自機画像横転表示信号がＯＦＦかつ前記相手機画像横転表示信号がＯＮのとき１８０度を出力することを特徴とする画像通信装置である。
【００１０】
請求項３の発明は、前記画像横転表示信号発生手段は、画像横転表示信号のＯＮ、ＯＦＦを発生する切り替えスイッチを備えることを特徴とする画像通信装置である。
【００１１】
請求項４の発明は、前記画像横転表示信号発生手段は、本体の縦横方向を感知し、本体横転時に画像横転表示信号をＯＮにし、それ以外の時にＯＦＦにする本体方向感知手段から構成されることを特徴とする画像通信装置である。
【００１２】
請求項５の発明は、相手側画像通信装置から送信された相手側画像信号と前記相手画像の表示方向を指示する画像横転表示信号を受信する画像情報受信手段と、前記相手画像情報を前記画像横転表示信号に基づき表示画像情報として生成する表示画像処理手段を具備し、表示画像処理手段は、前記相手側画像情報を前記画像横転表示信号がＯＮのとき−９０度回転処理し、前記画像横転表示信号がＯＦＦのとき回転処理を行わず出力する画像回転手段と、前記画像回転手段から出力された回転画像情報から矩形領域を切りとり前記表示画像情報を生成する矩形領域抽出手段から構成されることを特徴とする画像通信装置である。
【００１３】
請求項６の発明は、前記画像横転表示信号発生手段は、画像横転表示信号のＯＮ、ＯＦＦを発生する切り替えスイッチを備えることを特徴とする画像通信装置である。
【００１４】
請求項７の発明は、前記画像横転表示信号発生手段は、本体の縦横方向を感知し、本体横転時に画像横転表示信号をＯＮにし、それ以外の時にＯＦＦにする本体方向感知手段から構成されることを特徴とする画像通信装置である。
【００２３】
【作用】
請求項１記載の本発明は、自機画像横転表示信号と相手機画像横転表示信号に基づき自画像情報を処理し、相手画像通信装置へ送信する。
【００２４】
請求項２記載の本発明は、自機画像横転表示信号と相手機画像横転表示信号に基づき、自画像情報を相手画像通信装置が求める画像情報へ処理する。
【００２５】
請求項３記載の本発明は、切り替えスイッチに従い、画像横転表示信号をＯＮ、ＯＦＦする。
【００２６】
請求項４記載の本発明は、本体横転時に画像横転表示信号をＯＮにし、それ以外の時にＯＦＦにする。
【００２７】
請求項５記載の本発明は、画像横転表示信号に基づき、自画像情報が正しい上下方向を持つように処理してから相手側画像通信装置へ送信し、相手画像情報を画像横転表示信号に基づき画面の使用方向に合わせて表示する。
【００２９】
請求項６記載の本発明は、切り替えスイッチに従い、画像横転表示信号をＯＮ、ＯＦＦする。
【００３０】
請求項７記載の本発明は、本体横転時に画像横転表示信号をＯＮにし、それ以外の時にＯＦＦにする。
【００３６】
【実施例】
（実施例１）
以下、本発明の第１の実施例について図面を参照しながら説明する。
【００３７】
まず第１の実施例における構成について説明する。
図１（ａ）は、横長の画像を表示するときの第１の実施例の画像通信装置の使用状態を表し、図１（ｂ）は縦長の画像を表示するときの第１の実施例の画像通信装置の使用状態を表している。図１（ａ）を標準の使用状態とし、図１（ｂ）を本体を横転して使用している状態とする。
【００３８】
図２は第１の実施例の画像通信装置の構成図を表している。
画像撮影部１０３にて生成された自画像情報１０９は、画像処理部１０４にて画像横転表示信号発生部１０２から生成された自機画像横転表示信号１１０と、信号受信部１０６にて受信された相手機画像横転表示信号１１２に基づき送信画像情報１１３へ変換され、画像情報送信部１０５に入力される。
【００３９】
自機画像横転表示信号１１０は、信号送信部１０７へ入力され、画像情報受信部１０８にて生成された相手画像情報１１１は画像表示部１０１へ入力される。
【００４０】
図３は画像処理部１０４の構成図を表している。自機画像横転表示信号１１０と相手機画像横転表示信号１１２に基づき回転角算出部１１５にて回転角１１７が算出される。自画像情報１０９は回転角１１７に基づき画像回転部１１４にて回転画像情報１１８へ処理され、矩形領域抽出部１１６にて送信画像情報１１３へ処理される。
【００４１】
次に第１の実施例における、各部の動作について説明する。
画像撮影部１０３は自画像を撮影し、自画像情報１０９にする。画像横転表示信号発生部１０２は自機画像横転表示信号１１０を、本体を図１（ａ）の状態で使用する時ＯＦＦにし、本体を図１（ｂ）の状態で使用する時ＯＮにする。信号送信部１０７は自機画像横転表示信号１１０を相手側画像通信装置へ送信する。信号受信部１０６は相手側画像通信装置が送信する自機画像横転表示信号を受信し、相手機画像横転表示指示信号１１２を生成する。画像情報受信部１０８は相手側画像通信装置が送信する送信画像情報を受信し相手画像情報１１１を生成する。画像表示部１０１は相手画像情報１１１を画面に表示する。画像情報送信部１０５は送信画像情報１１３を相手画像通信装置へ送信する。
【００４２】
回転角算出部１１５は自機画像横転表示信号１１０がＯＦＦかつ相手機画像横転表示信号１１２がＯＦＦの時０度、自機画像横転表示信号１１０がＯＮかつ相手機画像横転表示信号１１２がＯＦＦの時か自機画像横転表示信号１１０がＯＦＦかつ相手機画像横転表示信号１１２がＯＮの時−９０度、自機画像横転表示信号１１０がＯＮかつ相手機画像横転表示信号１１２がＯＮの時１８０度とした回転角１１７を算出する。ただし、本体の横転方向、すなわち反時計回りを正回転方向とする。
【００４３】
画像回転部１１４は回転角１１７だけ自画像情報１０９を回転させ回転画像情報１１７を生成する。矩形領域抽出部１１６は回転画像情報１１７から表示画面に合わせた矩形領域を切りとり送信画像情報１１３を生成する。
【００４４】
図４は画像処理部１０４における動作例を表している。自機画像横転表示信号１１０がＯＦＦかつ相手機画像横転表示信号１１２がＯＦＦの時はの５ａの順に、自機画像横転表示信号１１０がＯＮかつ相手機画像横転表示信号１１２がＯＦＦの時は５ｂの順に、自機画像横転表示信号１１０がＯＦＦかつ相手機画像横転表示信号１１２がＯＮの時は５ｃの順に、自機画像横転表示信号１１０がＯＮかつ相手機画像横転表示信号１１２がＯＮのときは５ｄの順に画像情報は推移していく。
【００４５】
以上により自機側の本体を動かすことなく相手側画像通信装置は縦長、横長の画像を表示することができ、同様に自機側も相手側本体を動かすことなく縦長、横長の画像を表示できるので、より見やすい映像を選択できる。
【００４６】
なお、第１の実施例においては本体を反時計まわりに回転させて、縦長の画像を表示したが画像横転表示信号発生部１０２と回転角算出部１１５を時計回りを基準に対応させることにより本体を時計回りに回転させて縦長画像を表示できる。
【００４７】
さらに、第１の実施例においては図１（ａ）を標準の使用状態としたが、図１（ｂ）を標準の使用状態としても画像横転表示信号発生部１０２と回転角算出部１１５を対応させることにより同等の機能を実現できる。
【００４８】
（実施例２）
以下、本発明の第２の実施例について図面を参照しながら説明する。
【００４９】
まず第２の実施例の構成について説明する。
第２の実施例の画像通信装置の使用状態は第１の実施例と同じなので省略する。
【００５０】
図５は第２の実施例の画像通信装置の構成図を表している。画像撮影部２０３で生成された自画像情報２０９は、送信画像処理部２０４にて画像横転信号２１１に基づき送信画像情報２１２へ処理され、画像情報送信部２０７へ入力される。画像情報受信部２０６にて生成された相手画像情報２１０は表示画像処理部２０５にて画像横転表示信号２１１に基づき表示画像情報２０８へ処理され、画像表示部２０１に入力される。
【００５１】
図６は送信画像処理部２０４の構成図を表している。自画像情報２０９は画像横転表示信号２１１に基づき画像回転部２１３にて送信画像情報２１２へ処理される。
【００５２】
図７は表示画像処理部２０５の構成図を表している。相手画像情報２１０は画像横転表示信号２１１に基づき画像回転部２１４にて回転画像情報２１６へ処理され、矩形領域抽出部２１５にて表示画像情報２０８へ処理される。
【００５３】
つぎに第２の実施例における各部の動作について説明する。
画像撮影部２０３と画像情報送信部２０７と画像情報受信部２０６の動作は第１の実施例と同じであるので省略する。画像横転表示信号発生部２０２は画像横転表示信号２１１を、本体を図１（ａ）の状態で使用する時ＯＦＦにし、本体を図１（ｂ）の状態で使用する時ＯＮにする。画像表示部２０１は表示画像情報２０８を画面へ表示する。
【００５４】
画像回転部２１３は、自画像情報２０９を画像横転表示信号２１１がＯＦＦのとき回転処理を行わず出力し、ＯＮのとき時計回りに９０度回転させて出力し送信画像情報２１２とする。
【００５５】
図８は送信画像処理部２０４における動作例を表している。９ａは画像横転表示信号２１１がＯＦＦの時の動作例であり、９ｂは画像横転表示信号２１１がＯＮの時の動作例である。このように送信画像処理部２０４は本体がどの状態でも送信画像情報の上下方向が正しくなるように画像処理を行う。
【００５６】
画像回転部２１４は、相手画像情報２１０を画像横転表示信号２１１がＯＦＦのとき回転処理を行わず出力し、ＯＮのとき時計回りに９０度回転させて出力し回転画像情報２１６とする。回転画像情報２１６は、矩形領域抽出部２１５にて画面に合わせて切りとられ表示画像情報２０８となる。
【００５７】
図９は表示画像処理部２０５における動作例を表している。１０ａは画像横転表示信号２１１がＯＦＦの時の動作例であり、１０ｂは画像横転表示信号２１１がＯＮの時の動作例である。このように表示画像処理部２０５は本体の使用状態に応じた表示画像情報２０８が得られるように画像処理をおこなう。
【００５８】
以上より相手側本体を動かすことなく自機側の操作のみで縦長、横長の画像を表示でき、より見やすい画像を選択することができる。
【００５９】
なお、第２の実施例においては本体を反時計まわりに回転させて、縦長の画像を表示したが画像横転表示信号発生部２０２と画像回転部２１３、２１４を時計回りを基準に対応させることにより本体を時計回りに回転させて縦長画像を表示できる。
【００６０】
さらに第２の実施例においては図１（ａ）を標準の使用状態としたが、図１（ｂ）を標準の使用状態としても画像横転表示信号発生部２０２と画像回転部２１３、２１４を対応させることにより同等の機能を実現できる。
【００６１】
（実施例３）
以下、本発明の第３の実施例について図面を参照しながら説明する。
【００６２】
まず第３の実施例における構成について説明する。
図１（ｃ）は相手画像のみを表示するときの第３の実施例の画像通信装置の使用状態を表し、図１（ｄ）は相手画像と自画像を同時に表示するときの使用状態を表している。
【００６３】
図１０は第３の実施例の画像通信装置の構成図を表している。画像撮影部３０３にて生成された自画像情報３０８は画像送信部３０４へ入力される。画像情報受信部３０５にて生成された相手画像情報３０９は、画像合成指示信号３１０に基づき画像処理部３０６にて自画像情報３０８と処理され表示画像情報３０７となり画像表示部３０１へ入力される。
【００６４】
図１１は画像処理部３０６の構成図を表している。自画像情報３１５と相手画像情報３１６は画像合成部３１１へ入力され、合成画像情報３１８が生成される。
【００６５】
合成画像情報３１８は画像回転部３１２へ入力され回転画像情報３１９が生成される。回転画像情報３１９は画像縮小部３１３へ入力され縮小画像情報３２０が生成されるとなる。縮小画像情報３２０と相手画像情報３１６は画像選択部３１４に入力され、画像合成指示信号３１７に基づき画像選択部３１４から表示画像情報３２１が生成される。
【００６６】
次に第３の実施例における各部の動作について説明する。
画像撮影部３０３と画像受信部３０５の動作は第１の実施例と、画像送信部３０４と画像表示部３０１の動作は第２の実施例と同じなので省略する。画像合成指示信号生成部３０２において、相手側の画像のみを表示するときにはＯＦＦ、相手側の画像と自画像を同時に表示するときにはＯＮの画像合成指示信号３１０を生成する。
【００６７】
画像合成部３１１では、自画像情報３１５と相手画像情報３１６を長辺が接するように合成し合成画像情報３１８を生成する。画像回転部３１２では合成画像情報３１８を時計回りに９０度回転させ回転画像情報３１９を生成する。画像縮小部３１３は、回転画像情報３１９を画面の中に収まる大きさまで縮小し縮小画像情報３２０を生成する。画像選択部３１４は画像合成指示信号３１７がＯＦＦのとき相手画像情報３１６を、ＯＮのとき縮小画像情報３２０を表示画像情報３２１として出力する。
【００６８】
図１２は画像処理部３１６における画像合成部３１１から画像縮小部３１３までの動作例である。相手画像情報３２２と自画像情報３２３は画像合成部３１１にて合成され合成画像情報３２４となり、画像回転部にて回転され回転画像情報３２５となり、画像縮小部３１３にて縮小され縮小画像情報３２６となる。この後、画像選択部３１４にて相手画像情報３２２か縮小画像情報３２６が選択され画像表示部３０１にて画面に表示される。
【００６９】
図１３は従来方法と比べてどれだけ第３の実施例の画像が大きく表示できるか比較したものである。第３の実施例の画面のアスペクト比を４：３とすると、従来方法では画像３２７のようになり画面の１／２が画像となり、第３の実施例では画像３２８のようになり画面の８／９が画像となる。
【００７０】
以上のようにして、相手側の画像と自機側の画像を部分的に削除することなく同時に表示する時に、画面を横長に使うときよりも大きな見やすい画像を得ることができる。
【００７１】
（実施例４）
以下、本発明の第４の実施例について図面を参照しながら説明する。
【００７２】
まず第４の実施例における構成について説明する。
図１９は第４の実施例の画像通信装置の外観および使用状態を表している。４０１は切替スイッチ、４０２は画像通信装置の画面、４０３はカメラ、４０４は画面に表示された相手画像である。切替スイッチ４０１はロータリー式になっており図１９（ａ）の位置でＯＦＦ、図１９（ｂ）の位置でＯＮになる。
【００７３】
第４の実施例の画像通信装置の構成は第１の実施例と同様であるので省略する。
【００７４】
図２０は第４の実施例の画像横転信号発生部１０２の構成図を表している。切り替えスイッチ４０１は自機画像横転表示信号１１０を出力する。
【００７５】
次に第４の実施例における、各部の動作について説明する。切替スイッチ４０１を図１９（ａ）の位置にすると、自機画像横転表示信号１１０がＯＦＦになり、以後第１の実施例と同様に動作し、本体が図１９（ａ）の状態で画面４０２に相手画像４０４が上下方向正しく表示される。切替スイッチ４０１を図１９（ｂ）の位置にすると、自機画像横転表示信号１１０がＯＮになり、以後第１の実施例と同様に動作し、本体が図１（ｂ）の状態で画面４０２に相手画像４０４が上下方向正しく表示される。
【００７６】
このように第４の実施例では切り替えスイッチ４０１をＯＮ、ＯＦＦすることにより表示画面を横長、縦長に切り替えて使用できるようになる。なお、切替スイッチとしてロータリースイッチを用いたが、ＯＮ、ＯＦＦの２値を出力するものを代わりに用いることができ、例えばトグルスイッチでも、多点スイッチでも、スライドスイッチでもよい。
【００７７】
（実施例５）
以下、本発明の第５の実施例について図面を参照しながら説明する。
【００７８】
まず第５の実施例における構成について説明する。
第５の実施例の画像通信装置の使用状態は第１の実施例と同様であるので省略する。
【００７９】
また第５の実施例の画像通信装置の構成も第１の実施例と同様であるので省略する。
【００８０】
図２１は第５の実施例の画像横転信号発生部１０２の構成図を表している。５０１は本体方向感知部である。本体方向感知部５０１は自機画像横転表示信号１１０を出力する。
【００８１】
本体方向感知部５０１として、水銀スイッチを用い、図１（ａ）の状態の時ＯＦＦになり、図１（ｂ）の状態の時ＯＮになる位置に固定されているものとする。
【００８２】
次に第５の実施例における、各部の動作について説明する。
本体を図１（ａ）の状態にすると、本体方向感知部５０１はＯＦＦの信号を出力し、自機画像横転表示信号１１０をＯＦＦにする。以下第１の実施例と同様に動作し、画面１１９に相手画像１２１が上下方向正しく表示される。本体を図１（ｂ）の状態にした場合には、本体方向感知部５０１はＯＮの信号を出力し、自機画像横転表示信号１１０をＯＮにする。以下第１の実施例と同様に動作し、画面１１９に相手画像１２１が上下方向正しく表示される。
【００８３】
このように第５の実施例においては本体の状態を図１（ａ）、図１（ｂ）にすることで表示画面を横長、縦長に切り替えて使用できるようになる。なお本体方向感知部として水銀スイッチを用いたが、傾きの変化を感知するものを代わりに用いることができ、例えば角度センサーでも、重力スイッチでもよい。
【００８５】
【発明の効果】
請求項１記載の発明により、受信側で相手側画像の表示形状を指定することができ、相手側被写体を見やすく表示可能となる。画像通信装置間で送受信する画像情報は送信側で処理したのちに、受信側へ送られるため従来例の情報量を変化させることなく機能を実現できる。
【００８６】
請求項２記載の発明により、送信元で相手画像通信装置が求める画像情報を生成できる。
【００８７】
請求項３、請求項６記載の発明により、切り替えスイッチに従い、縦長画面と横長画面を切り替えることができる。
【００８８】
請求項４、請求項７記載の発明により、本体を横転させたり、元に戻したりするだけで縦長画面と横長画面を切り替えることができる。
【００８９】
請求項５記載の本発明により、受信側で相手側画像の表示形状を指定することができ、相手側被写体を見やすく表示可能となる。画像情報を、送信側と受信側にて処理することにより請求項１における信号送信部、信号受信部を省くことができる。しかし、受信側においても画像処理を行なうため、画像通信装置間で送受信する画像情報が従来例より増加する。
【図面の簡単な説明】
【図１】（ａ）は本発明の第１、第２、および第５の実施例における横長画像を表示するときの使用状態を示す図
（ｂ）は本発明の第１、第２、および第５の実施例における縦長画像を表示するときの使用状態を示す図
（ｃ）は本発明の第３の実施例における相手画像のみを表示するときの使用状態を示す図
（ｄ）は本発明の第３の実施例における相手画像と自画像を同時に表示するときの使用状態を示す図
【図２】本発明の第１の実施例における画像通信装置の構成図
【図３】本発明の第１の実施例における画像処理部の構成図
【図４】本発明の第１の実施例における画像処理部の動作を説明する図
【図５】本発明の第２の実施例における画像通信装置の構成図
【図６】本発明の第２の実施例における送信画像処理部の構成図
【図７】本発明の第２の実施例における表示画像処理部の構成図
【図８】本発明の第２の実施例における送信画像処理部の動作を説明する図
【図９】本発明の第２の実施例における表示画像処理部の動作を説明する図
【図１０】本発明の第３の実施例における画像通信装置の構成図
【図１１】本発明の第３の実施例における画像処理部の構成図
【図１２】本発明の第３の実施例における画像処理部の動作を説明する図
【図１３】本発明の第３の実施例における効果を説明する図
【図１４】従来例の表示方式を示す図
【図１５】縦長物体の全体像を示す図
【図１６】従来例の表示方式で縦長物体を横長画面に表示した図
【図１７】従来例の表示方式で縦長物体を縦長画面に表示した図
【図１８】従来例の表示方式で複数の画像を表示した図
【図１９】本発明の第４の実施例における画像通信装置の外観および使用状態を表す図
【図２０】本発明の第４の実施例における画像横転表示信号発生部の構成図
【図２１】本発明の第５の実施例における画像横転表示信号発生部の構成図
【符号の説明】
１０３、２０３、３０３  画像撮影手段
１０５、２０７、３０４  画像情報送信手段
１０８、２０６、３０５  画像情報受信手段
１０１、２０１、３０１  画像表示手段
１０２、２０２  画像横転表示信号発生手段
１０７  信号送信手段
１０６  信号受信手段
１０４、３０６  画像処理手段
１１５  回転角算出手段
１１４  画像回転手段
１１６、２０５  矩形領域抽出手段
２０４  送信画像処理手段
２０５  表示画像処理手段
２１３、２１４  画像回転手段
３０２  画像合成指示信号生成手段
３０６  画像処理手段
３１１  画像合成手段
３１２  画像回転手段
３１３  画像縮小手段
３１４  画像選択手段
４０１  切換スイッチ
５０１  本体方向感知手段
【図１】
0003603409.tif 000002
【図２】
0003603409.tif 000003
【図３】
0003603409.tif 000004
【図４】
0003603409.tif 000005
【図５】
0003603409.tif 000006
【図６】
0003603409.tif 000007
【図７】
0003603409.tif 000008
【図８】
0003603409.tif 000009
【図９】
0003603409.tif 000010
【図１０】
0003603409.tif 000011
【図１１】
0003603409.tif 000012
【図１２】
0003603409.tif 000013
【図１３】
0003603409.tif 000014
【図１４】
0003603409.tif 000015
【図１５】
0003603409.tif 000016
【図１６】
0003603409.tif 000017
【図１７】
0003603409.tif 000018
【図１８】
0003603409.tif 000019
【図１９】
0003603409.tif 000020
【図２０】
0003603409.tif 000021
【図２１】
0003603409.tif 000022